(57)【要約】【課題】複数の情報端末表示装置全体で画像を視認性良く表示するように、複数の情報端末表示装置を容易に配置できる表示システムを提供する。【解決手段】表示システム１が備える複数の情報端末表示装置２は、近距離無線通信で互いに接続し、隣接して配置される際に画像Ｇを連携して表示する。第１情報端末表示装置１０は、複数の情報端末表示装置２全体で画像Ｇを表示するように複数の情報端末表示装置２を制御する。第１情報端末表示装置１０は画像データＤと第１表示性能情報Ｊとを予め記憶しており、画像データＤと第１表示性能情報Ｊと第２情報端末表示装置１００から送信された第２表示性能情報Ｋとに基づいて複数の情報端末表示装置２の配置Ｌを決定し、第１情報端末表示装置１０の配置Ｌ１を表示し、第２情報端末表示装置１００の配置Ｌ２を示す配置情報Ｒを第２情報端末表示装置１００に送信する。第２情報端末表示装置１００は配置Ｌ２を表示する。【選択図】図１
2019101132.tif 000002
【特許請求の範囲】
【請求項１】
互いに隣接して配置される際に画像を連携して表示する複数の情報端末表示装置を備える表示システムであって、
前記複数の情報端末表示装置は、
前記複数の情報端末表示装置全体で前記画像を表示するように前記複数の情報端末表示装置を制御する第１情報端末表示装置と、
少なくとも１つの第２情報端末表示装置と
を含み、
前記複数の情報端末表示装置は、近距離無線通信で互いに接続し、
前記第１情報端末表示装置は、前記画像を示す画像データと、前記第１情報端末表示装置の表示性能を示す第１表示性能情報とを予め記憶しており、
前記第２情報端末表示装置は、前記第２情報端末表示装置の表示性能を示す第２表示性能情報を前記第１情報端末表示装置に送信し、
前記第１情報端末表示装置は、
前記画像データと、前記第１表示性能情報と、前記第２表示性能情報とに基づいて、前記複数の情報端末表示装置の配置を決定し、
前記第１情報端末表示装置の配置を示す第１配置画像を表示し、
前記第２情報端末表示装置の配置を示す配置情報を前記第２情報端末表示装置に送信し、
前記第２情報端末表示装置は、前記配置情報に従い、前記第２情報端末表示装置の配置を示す第２配置画像を表示する、表示システム。
【請求項２】
前記第１情報端末表示装置は、前記複数の情報端末表示装置のうち隣り合う各情報端末表示装置間の表示性能の差異を前記複数の情報端末表示装置のうち隣り合わない各情報端末表示装置間の表示性能の差異よりも小さくするように、前記第１表示性能情報と前記第２表示性能情報とに基づいて前記複数の情報端末表示装置の配置を決定する、請求項１に記載の表示システム。
【請求項３】
前記第１情報端末表示装置は、
前記複数の情報端末表示装置全体で前記画像を表示するように前記複数の情報端末表示装置全体を制御する制御部と、
画像を表示する第１ディスプレーと
を備え、
前記第１表示性能情報は、前記第１ディスプレーの表示性能を示し、
前記第１表示性能情報は、前記第１ディスプレーの画面サイズを示す画面サイズ情報を含み、
前記第２情報端末表示装置は、画像を表示する第２ディスプレーを備え、
前記第２表示性能情報は、前記第２ディスプレーの表示性能を示し、
前記第２表示性能情報は、前記第２ディスプレーの画面サイズを示す画面サイズ情報を含み、
前記制御部は、
前記画像データと、前記第１表示性能情報と、前記第２表示性能情報とに基づいて、
前記画像データを分割し、分割した前記画像データを前記複数の情報端末表示装置の各々に割り当て、前記複数の情報端末表示装置の配置を決定する、請求項１又は請求項２に記載の表示システム。
【請求項４】
前記第１表示性能情報は、第１色空間情報を更に含み、
前記第１色空間情報は、前記第１ディスプレーによる表現可能な色域に対応する色空間規格を示し、
前記第２表示性能情報は、第２色空間情報を更に含み、
前記第２色空間情報は、前記第２ディスプレーによる表現可能な色域に対応する色空間規格を示す、請求項３に記載の表示システム。
【請求項５】
前記第１表示性能情報は、前記第１ディスプレーの画面解像度を示す画面解像度情報を更に含み、
前記第２表示性能情報は、前記第２ディスプレーの画面解像度を示す画面解像度情報を更に含む、請求項３又は請求項４に記載の表示システム。
【請求項６】
前記第１ディスプレーは、前記複数の情報端末表示装置全体の前記配置を示す全体配置画像と共に、前記第１配置画像を表示し、
前記第１配置画像の表示形式は、前記全体配置画像の表示形式と異なり、
前記第２ディスプレーは、前記全体配置画像と共に、前記第２配置画像を表示し、
前記第２配置画像の表示形式は、前記全体配置画像の表示形式と異なる、請求項３から請求項５のいずれか１項に記載の表示システム。
【請求項７】
前記第１表示性能情報には、前記第１情報端末表示装置のユーザーを示すユーザー情報が関連付けられており、
前記第２表示性能情報には、前記第２情報端末表示装置のユーザーを示すユーザー情報が関連付けられており、
前記第１ディスプレーと前記第２ディスプレーとが前記画像の表示を終了する際、前記制御部は、前記複数の情報端末表示装置の各々に対応する前記ユーザー情報を示す画像を表示するように前記第１ディスプレーと前記第２ディスプレーとを制御する、請求項３から請求項６のいずれか１項に記載の表示システム。
【請求項８】
前記複数の情報端末表示装置の各々は、タッチセンサーを更に備え、
前記タッチセンサーは、前記複数の情報端末表示装置の各々が前記複数の情報端末表示装置全体で前記画像を表示する際に、前記タッチセンサーに対応するディスプレーへの接触位置を検出し、
異なる２つのタッチセンサーのうちの一方のタッチセンサーが第１接触位置を検出し、前記一方のタッチセンサーによる前記第１接触位置の検出時点から所定の時間内に前記異なる２つのタッチセンサーのうちの他方のタッチセンサーが第２接触位置を検出すると、前記制御部は、前記第１接触位置と前記第２接触位置とに基づいて、前記一方のタッチセンサーに対応するディスプレーと前記他方のタッチセンサーに対応するディスプレーとを制御し、
各タッチセンサーのうちの１つのタッチセンサーのみが前記接触位置を検出すると、前記制御部は、前記接触位置に基づいて前記１つのタッチセンサーに対応するディスプレーを制御し、
前記一方のタッチセンサーに対応するディスプレーと前記他方のタッチセンサーに対応するディスプレーとを制御する処理は、前記複数の情報端末表示装置全体で表示される前記画像を変更する処理であり、
前記１つのタッチセンサーに対応するディスプレーを制御する処理は、前記１つのタッチセンサーに対応するディスプレーに割り当てられた画像のみを変更する処理である、請求項３から請求項７のいずれか１項に記載の表示システム。
【請求項９】
前記複数の情報端末表示装置の各々は、位置情報を取得する位置情報取得部を更に備え、
前記画像は、複数のアイコン画像を有するホーム画面画像を含み、
前記制御部は、前記位置情報に基づいて、前記複数の情報端末表示装置が互いに離間しているか否かを判定し、
前記制御部は、前記ホーム画面画像が前記複数の情報端末表示装置全体で表示される場合に、前記複数の情報端末表示装置のうちの１つの情報端末表示装置が他の情報端末表示装置から離間したことを判定すると、前記ホーム画面画像のうち前記１つの情報端末表示装置のディスプレーに割り当てられたアイコン画像に対応するプログラムを実行するように前記１つの情報端末表示装置を制御する、請求項３から請求項８のいずれか１項に記載の表示システム。
【請求項１０】
情報端末表示装置と前記情報端末表示装置以外の少なくとも１つの外部情報端末表示装置とを含む複数の情報端末表示装置全体で画像を表示するように前記複数の情報端末表示装置を制御する制御部と、
前記外部情報端末表示装置と近距離無線通信で接続する通信部と、
前記画像を示す画像データと、前記情報端末表示装置の表示性能を示す第１表示性能情報とを予め記憶している記憶部と、
画像を表示するディスプレーと
を備え、
前記通信部は、前記外部情報端末表示装置の表示性能を示す第２表示性能情報を前記外部情報端末表示装置から受信し、
前記制御部は、前記画像データと、前記第１表示性能情報と、前記第２表示性能情報とに基づいて、前記複数の情報端末表示装置の配置を決定し、
前記ディスプレーは、前記複数の情報端末表示装置の配置のうち前記情報端末表示装置の配置を示す配置画像を表示し、
前記通信部は、前記外部情報端末表示装置に配置情報を送信し、
前記配置情報は、前記複数の情報端末表示装置の配置のうち前記外部情報端末表示装置の配置を示す、情報端末表示装置。
【請求項１１】
互いに隣接して配置される際に画像を連携して表示する複数の情報端末表示装置による表示方法であって、
前記複数の情報端末表示装置は、前記複数の情報端末表示装置全体で前記画像を表示するように前記複数の情報端末表示装置を制御する第１情報端末表示装置と、少なくとも１つの第２情報端末表示装置とを含み、
前記複数の情報端末表示装置が、近距離無線通信で互いに接続する工程と、
前記第１情報端末表示装置が、前記画像を示す画像データと、前記第１情報端末表示装置の表示性能を示す第１表示性能情報とを予め記憶する工程と、
前記第２情報端末表示装置が、前記第２情報端末表示装置の表示性能を示す第２表示性能情報を前記第１情報端末表示装置に送信する工程と、
前記第１情報端末表示装置が、前記画像データと、前記第１表示性能情報と、前記第２表示性能情報とに基づいて、前記複数の情報端末表示装置の配置を決定する工程と、
前記第１情報端末表示装置が、前記第１情報端末表示装置の配置を示す第１配置画像を表示する工程と、
前記第１情報端末表示装置が、前記第２情報端末表示装置の配置を示す配置情報を前記第２情報端末表示装置に送信する工程と、
前記第２情報端末表示装置が、前記配置情報に従い、前記第２情報端末表示装置の配置を示す第２配置画像を表示する工程と
を包含する、表示方法。
【請求項１２】
情報端末表示装置と前記情報端末表示装置以外の少なくとも１つの外部情報端末表示装置とを含む複数の情報端末表示装置全体で画像を表示するように前記複数の情報端末表示装置を制御する工程と、
前記外部情報端末表示装置と近距離無線通信で接続する工程と、
前記画像を示す画像データと、前記情報端末表示装置の表示性能を示す第１表示性能情報とを予め記憶する工程と、
画像を表示する工程と
を包含し、
前記接続する工程において、前記外部情報端末表示装置の表示性能を示す第２表示性能情報を前記外部情報端末表示装置から受信し、
前記制御する工程において、前記画像データと、前記第１表示性能情報と、前記第２表示性能情報とに基づいて、前記複数の情報端末表示装置の配置を決定し、
前記表示する工程において、前記複数の情報端末表示装置の配置のうち前記情報端末表示装置の配置を示す配置画像を表示し、
前記接続する工程において、前記外部情報端末表示装置に配置情報を送信し、
前記接続する工程において、前記配置情報は、前記複数の情報端末表示装置の配置のうち前記外部情報端末表示装置の配置を示す、表示制御方法。
【発明の詳細な説明】
【技術分野】
【０００１】
本発明は、表示システム、情報端末表示装置、表示方法、及び表示制御方法に関する。
【背景技術】
【０００２】
複数の表示装置を用いて画像を表示する画像表示システムが知られている。このような画像表示システムとして、特許文献１に記載の画像表示システムでは、ユーザーが一方の表示装置を他方の表示装置に近づける際に一方の表示装置の姿勢を変化させる。特許文献１に記載の画像表示システムは、一方の表示装置の姿勢の変化に基づいて、一方の表示装置と他方の表示装置とを連結する位置を特定する。特許文献１に記載の画像表示システムは、各表示装置が連結されると、画像を分割して各表示装置に表示させる。
【先行技術文献】
【特許文献】
【０００３】
【特許文献１】特開２０１４−９８７５２号公報
【発明の概要】
【発明が解決しようとする課題】
【０００４】
しかしながら、特許文献１に記載の画像表示システムでは、各表示装置を配置するレイアウトは、ユーザーが任意に各表示装置を配置することによって決定される。従って、複数の表示装置全体で画像を視認性良く表示するように複数の表示装置を配置することが困難であった。
【０００５】
本発明は上記課題に鑑みてなされたものであり、複数の情報端末表示装置全体で画像を視認性良く表示するように、複数の情報端末表示装置を容易に配置できる表示システム、情報端末表示装置、表示方法、及び表示制御方法を提供することを目的とする。
【課題を解決するための手段】
【０００６】
本発明に係る表示システムは、複数の情報端末表示装置を備える。前記複数の情報端末表示装置は、互いに隣接して配置される際に画像を連携して表示する。前記複数の情報端末表示装置は、第１情報端末表示装置と、少なくとも１つの第２情報端末表示装置とを含む。前記第１情報端末表示装置は、前記複数の情報端末表示装置全体で前記画像を表示するように前記複数の情報端末表示装置を制御する。前記複数の情報端末表示装置は、近距離無線通信で互いに接続する。前記第１情報端末表示装置は、前記画像を示す画像データと、前記第１情報端末表示装置の表示性能を示す第１表示性能情報とを予め記憶している。前記第２情報端末表示装置は、前記第２情報端末表示装置の表示性能を示す第２表示性能情報を前記第１情報端末表示装置に送信する。前記第１情報端末表示装置は、前記画像データと、前記第１表示性能情報と、前記第２表示性能情報とに基づいて、前記複数の情報端末表示装置の配置を決定し、前記第１情報端末表示装置の配置を示す第１配置画像を表示し、前記第２情報端末表示装置の配置を示す配置情報を前記第２情報端末表示装置に送信する。前記第２情報端末表示装置は、前記配置情報に従い、前記第２情報端末表示装置の配置を示す第２配置画像を表示する。
【０００７】
本発明に係る情報端末表示装置は、制御部と、通信部と、記憶部と、ディスプレーとを備える。前記制御部は、複数の情報端末表示装置全体で画像を表示するように前記複数の情報端末表示装置を制御する。前記通信部は、前記複数の情報端末表示装置のうち前記情報端末表示装置以外の外部情報端末表示装置と近距離無線通信で接続する。前記記憶部は、前記画像を示す画像データと、前記情報端末表示装置の表示性能を示す第１表示性能情報とを予め記憶している。前記ディスプレーは、画像を表示する。前記通信部は、前記外部情報端末表示装置の表示性能を示す第２表示性能情報を前記外部情報端末表示装置から受信する。前記制御部は、前記画像データと、前記第１表示性能情報と、前記第２表示性能情報とに基づいて、前記複数の情報端末表示装置の配置を決定する。前記ディスプレーは、前記情報端末表示装置の配置を示す配置画像を表示する。前記通信部は、前記外部情報端末表示装置に配置情報を送信する。前記配置情報は、前記外部情報端末表示装置の配置を示す。
【０００８】
本発明に係る表示方法は、互いに隣接して配置される際に画像を連携して表示する複数の情報端末表示装置による表示方法である。前記複数の情報端末表示装置は、前記複数の情報端末表示装置全体で前記画像を表示するように前記複数の情報端末表示装置を制御する第１情報端末表示装置と、少なくとも１つの第２情報端末表示装置とを含む。前記表示方法は、前記複数の情報端末表示装置が、近距離無線通信で互いに接続する工程と、前記第１情報端末表示装置が、前記画像を示す画像データと、前記第１情報端末表示装置の表示性能を示す第１表示性能情報とを予め記憶する工程と、前記第２情報端末表示装置が、前記第２情報端末表示装置の表示性能を示す第２表示性能情報を前記第１情報端末表示装置に送信する工程と、前記第１情報端末表示装置が、前記画像データと、前記第１表示性能情報と、前記第２表示性能情報とに基づいて、前記複数の情報端末表示装置の配置を決定する工程と、前記第１情報端末表示装置が、前記第１情報端末表示装置の配置を示す第１配置画像を表示する工程と、前記第１情報端末表示装置が、前記第２情報端末表示装置の配置を示す配置情報を前記第２情報端末表示装置に送信する工程と、前記第２情報端末表示装置が、前記配置情報に従い、前記第２情報端末表示装置の配置を示す第２配置画像を表示する工程とを包含する。
【０００９】
本発明に係る表示制御方法は、制御する工程と、接続する工程と、予め記憶する工程と、表示する工程とを包含する。前記制御する工程は、情報端末表示装置と前記情報端末表示装置以外の少なくとも１つの外部情報端末表示装置とを含む複数の情報端末表示装置全体で画像を表示するように前記複数の情報端末表示装置を制御する。前記接続する工程は、前記外部情報端末表示装置と近距離無線通信で接続する。前記予め記憶する工程は、前記画像を示す画像データと、前記情報端末表示装置の表示性能を示す第１表示性能情報とを予め記憶する。表示する工程は、画像を表示する。前記接続する工程において、前記外部情報端末表示装置の表示性能を示す第２表示性能情報を前記外部情報端末表示装置から受信する。前記制御する工程において、前記画像データと、前記第１表示性能情報と、前記第２表示性能情報とに基づいて、前記複数の情報端末表示装置の配置を決定する。前記表示する工程において、前記複数の情報端末表示装置の配置のうち前記情報端末表示装置の配置を示す配置画像を表示する。前記接続する工程において、前記外部情報端末表示装置に配置情報を送信する。前記接続する工程において、前記配置情報は、前記複数の情報端末表示装置の配置のうち前記外部情報端末表示装置の配置を示す。
【発明の効果】
【００１０】
本発明によれば、複数の情報端末表示装置全体で画像を視認性良く表示するように、複数の情報端末表示装置を容易に配置できる。
【図面の簡単な説明】
【００１１】
【図１】（ａ）及び（ｂ）は、本発明の実施形態に係る表示システムを示す図である。
【図２】本発明の実施形態に係る表示システムを示す構成図である。
【図３】（ａ）は、本発明の実施形態に係る表示システムにおける表示性能情報テーブルの一例であり、（ｂ）は、本発明の実施形態に係る表示システムにおける画像を示す図であり、（ｃ）は、本発明の実施形態に係る表示システムを示す図である。
【図４】本発明の実施形態に係る表示システムを示す図である。
【図５】本発明の実施形態に係る表示システムが実行する、表示処理を示すフローチャートである。
【図６】（ａ）〜（ｃ）は、本発明の実施形態に係る表示システムを示す図である。
【図７】（ａ）及び（ｂ）は、本発明の実施形態に係る表示システムを示す図である。
【発明を実施するための形態】
【００１２】
以下、本発明の実施形態について、図面を参照しながら説明する。なお、図中、同一又は相当部分については同一の参照符号を付して説明を繰り返さない。
【００１３】
図１（ａ）及び（ｂ）を参照して、本実施形態に係る表示システム１の全体構成を説明する。図１（ａ）及び（ｂ）は、表示システム１を示す図である。
【００１４】
図１（ａ）及び（ｂ）に示すように、表示システム１は、複数の情報端末表示装置２を備える。複数の情報端末表示装置２は、近距離無線通信で互いに接続する。複数の情報端末表示装置２は、互いに隣接して配置される際に画像Ｇを連携して表示する。複数の情報端末表示装置２は、第１情報端末表示装置１０と、少なくとも１つの第２情報端末表示装置１００（「外部情報端末表示装置」に相当する。）とを含む。図１（ａ）及び（ｂ）では、第２情報端末表示装置１００が第２情報端末表示装置２０と第２情報端末表示装置３０との２つである実施形態について説明する。なお、第１情報端末表示装置１０と第２情報端末表示装置１００との構成の詳細については、図２を参照して後述する。
【００１５】
第１情報端末表示装置１０は、画像データＤと、第１表示性能情報Ｊとを予め記憶している。画像データＤは、画像Ｇを示す。第１表示性能情報Ｊは、第１情報端末表示装置１０の表示性能を示す。第１情報端末表示装置１０は、複数の情報端末表示装置２全体で画像Ｇを表示するように複数の情報端末表示装置２を制御する。
【００１６】
第２情報端末表示装置１００は、第２表示性能情報Ｋを第１情報端末表示装置１０に送信する。第２表示性能情報Ｋは、第２情報端末表示装置１００の表示性能を示す。例えば、第２情報端末表示装置２０は、第２表示性能情報Ｋ１を第１情報端末表示装置１０に送信する。同様に、第２情報端末表示装置３０は、第２表示性能情報Ｋ２を第１情報端末表示装置１０に送信する。なお、第１表示性能情報Ｊと第２表示性能情報Ｋとの詳細については、図２と図３とを参照して後述する。
【００１７】
第１情報端末表示装置１０は、画像データＤと、複数の情報端末表示装置２の各表示性能情報Ｊ、Ｋとに基づいて、複数の情報端末表示装置２の配置Ｌを決定する。第１情報端末表示装置１０は、第１配置画像Ｐを表示する。第１配置画像Ｐは、複数の情報端末表示装置２の配置Ｌのうち第１情報端末表示装置１０の配置Ｌ１を示す。第１情報端末表示装置１０は、第２情報端末表示装置１００に配置情報Ｒを送信する。配置情報Ｒは、複数の情報端末表示装置２の配置Ｌのうち第２情報端末表示装置１００の配置Ｌ２を示す。例えば、第１情報端末表示装置１０は、第２情報端末表示装置２０に配置情報Ｒ１を送信する。同様に、第１情報端末表示装置１０は、第２情報端末表示装置３０に配置情報Ｒ２を送信する。
【００１８】
第２情報端末表示装置１００は、配置情報Ｒに従い、第２配置画像Ｑを表示する。第２配置画像Ｑは、第２情報端末表示装置１００の配置Ｌ２を示す。例えば、第２情報端末表示装置２０は、配置情報Ｒ１に従い、配置Ｌ２１に対応する第２配置画像Ｑ１を表示する。同様に、第２情報端末表示装置３０は、配置情報Ｒ２に従い、配置Ｌ２２に対応する第２配置画像Ｑ２を表示する。
【００１９】
以上、図１（ａ）及び（ｂ）を参照して説明したように、表示システム１は、複数の情報端末表示装置２を備える。複数の情報端末表示装置２は、近距離無線通信で互いに接続する。第１情報端末表示装置１０は、画像データＤと、第１表示性能情報Ｊと、第２表示性能情報Ｋとに基づいて、複数の情報端末表示装置２の配置Ｌを決定する。第１情報端末表示装置１０は、第１配置画像Ｐを表示する。第２情報端末表示装置１００は、第１情報端末表示装置１０から送信される配置情報Ｒに従い、第２配置画像Ｑを表示する。複数の情報端末表示装置２の各ユーザーは、第１配置画像Ｐ又は第２配置画像Ｑを目視することによって、各情報端末表示装置の配置Ｌ１、Ｌ２を確認できる。従って、複数の情報端末表示装置２全体で画像Ｇを表示する際に、画像Ｇの視認性を向上させつつ複数の情報端末表示装置２を容易に配置できる。
【００２０】
続いて、図１〜図３を参照して、第１情報端末表示装置１０と第２情報端末表示装置１００との構成の詳細について説明する。図２は、表示システム１を示す構成図である。図３（ａ）は、各表示性能情報Ｊ、Ｋと、各ユーザー情報Ｕ１、Ｕ２とを示す表示性能情報テーブルＦの一例である。図３（ｂ）は、画像Ｇを示す図である。図３（ｃ）は、表示システム１を示す図である。
【００２１】
図２に示すように、第１情報端末表示装置１０は、第１制御部１１、第１記憶部１２、第１タッチパネル１３、第１ＧＰＳセンサー１４、第１動き検知センサー１５、及び第１通信部１６を備える。第１制御部１１、第１記憶部１２、第１ＧＰＳセンサー１４、第１動き検知センサー１５、及び第１通信部１６は、第１情報端末表示装置１０の筐体に収容される。第１情報端末表示装置１０は、例えば、スマートフォン又はタブレット端末装置である。
【００２２】
第１制御部１１は、複数の情報端末表示装置２全体で画像Ｇを表示するように複数の情報端末表示装置２を制御する。第１制御部１１は、「制御部」に相当する。第１制御部１１は、ＣＰＵのようなプロセッサー等によって構成されるハードウェア回路である。第１制御部１１は、第１記憶部１２に記憶された制御プログラムをプロセッサーが読み出して実行することによって、第１情報端末表示装置１０の各部の動作を制御する。また、プロセッサーは、第１記憶部１２に記憶された各種アプリケーションプログラムを読み出して実行する。
【００２３】
第１記憶部１２は、例えば、ＨＤＤ、ＲＡＭ、及びＲＯＭによって構成される。第１記憶部１２は、外部メモリーを含んでいてもよい。外部メモリーは、リムーバブルメディアである。第１記憶部１２は、外部メモリーとして、例えば、ＳＤ（Ｓｅｃｕｒｅ  Ｄｉｇｉｔａｌ）カードを含む。第１記憶部１２には、例えば、各種のデータ、制御プログラム、及びアプリケーションプログラムが記憶される。第１記憶部１２には、画像データＤと、第１表示性能情報Ｊと、第１ユーザー情報Ｕ１とが予め記憶されている。制御プログラムは、第１情報端末表示装置１０の各部の動作を制御するためのプログラムであり、第１制御部１１によって実行される。アプリケーションプログラムは、例えば、画像データＤを表示する際に、統合ディスプレー機能を用いるためのプログラムである。統合ディスプレー機能は、画像Ｇをディスプレーに表示する際に、複数の情報端末表示装置２が連携して複数の情報端末表示装置２全体で画像Ｇを表示する機能である。第１ユーザー情報Ｕ１は、第１情報端末表示装置１０のユーザーを示す。第１ユーザー情報Ｕ１は、第１表示性能情報Ｊに関連付けられている。第１記憶部１２は、表示性能情報テーブルＦを記憶する。表示性能情報テーブルＦの詳細については、図３（ａ）を参照して後述する。
【００２４】
第１タッチパネル１３は、入力装置と表示装置とを兼ねる。第１タッチパネル１３には、ユーザーによる各種の指示が入力される。具体的には、第１タッチパネル１３は、第１ディスプレー１３Ａと、第１タッチセンサー１３Ｂとを含む。第１ディスプレー１３Ａは、表示面を有する。第１ディスプレー１３Ａは、例えば、液晶ディスプレー、又は有機ＥＬディスプレー（Ｏｒｇａｎｉｃ  ＥｌｅｃｔｒｏＬｕｍｉｎｅｓｃｅｎｃｅ  ｄｉｓｐｌａｙ）である。第１ディスプレー１３Ａは、画像を表示する。画像は、例えば、第１配置画像Ｐ、文書画像、写真画像、又はホーム画面画像である。
【００２５】
第１表示性能情報Ｊは、第１ディスプレー１３Ａの表示性能（属性）を示す。第１表示性能情報Ｊは、第１画面サイズ情報Ｊ１と、第１色空間情報Ｊ２と、第１画面解像度情報Ｊ３とを含む。第１画面サイズ情報Ｊ１は、第１ディスプレー１３Ａの表示面のサイズ（以下、「画面サイズ」と記載する。）を示す。画面サイズは、例えば、ディスプレーの対角線の長さ、又はアスペクト比である。第１色空間情報Ｊ２は、色空間規格を示す。色空間規格は、第１ディスプレー１３Ａによる表現可能な色域に対応しており、第１ディスプレー１３Ａに依存する。色空間規格は、例えば、ｓＲＧＢ色空間、Ａｄｏｂｅ  ＲＧＢ色空間、又はＤＣＩ−Ｐ３色空間である。第１画面解像度情報Ｊ３は、第１ディスプレー１３Ａの画面解像度を示す。画面解像度は、第１ディスプレー１３Ａに表示される総画素数を示し、例えば、１２００ｄｐｉである。
【００２６】
第１ディスプレー１３Ａは、全体配置画像Ｔと共に第１配置画像Ｐを表示する。全体配置画像Ｔは、複数の情報端末表示装置２全体の配置Ｌを示す画像である。
【００２７】
第１タッチセンサー１３Ｂは、タッチ面を有する。タッチ面は、表示面の上に配置される。第１タッチセンサー１３Ｂは、例えば、抵抗膜方式又は静電容量方式のタッチセンサーである。第１タッチセンサー１３Ｂは、タッチ面に対する接触を検出すると、接触された位置（以下、「接触位置」と記載する。）を示す信号を生成する。接触位置は、タッチ面の座標を示す。接触位置を示す信号は、第１制御部１１へ送信される。
【００２８】
第１ＧＰＳセンサー１４は、「位置情報取得部」の一例に相当する。第１ＧＰＳセンサー１４は、ＧＰＳ衛星からの電波を受信し、第１情報端末表示装置１０の現在位置を示す情報を取得する。以下、情報端末表示装置の現在位置を「端末位置」と記載する。第１ＧＰＳセンサー１４は、取得した端末位置を示す情報を第１制御部１１へ定期的に送信する。以下、端末位置を示す情報を「端末位置情報」と記載する。端末位置情報は、第１情報端末表示装置１０が位置する場所の経度及び緯度を示す。
【００２９】
第１動き検知センサー１５は、加速度センサーとジャイロスコープとを含む。第１動き検知センサー１５は、第１情報端末表示装置１０の筐体の動きを検知して、第１情報端末表示装置１０の筐体の動きを示す情報（以下「動き情報」と記載する。）を第１制御部１１へ送信する。動き情報は、例えば、第１情報端末表示装置１０の回転を示す情報、又は向きを示す情報である。
【００３０】
第１通信部１６は、近距離無線通信で第２情報端末表示装置１００と互いに接続する。詳細には、第１通信部１６は、同じ通信方式（プロトコル）を利用する無線通信装置が実装された電子機器との間で近距離無線通信が可能である。近距離無線通信は、例えば、Ｂｌｕｅｔｏｏｔｈ（登録商標）方式による通信である。第１通信部１６は、Ｂｌｕｅｔｏｏｔｈ（登録商標）モジュール又はＢｌｕｅｔｏｏｔｈ（登録商標）カードのような無線通信機を含む。なお、第１通信部１６は、無線ＬＡＮ（Ｌｏｃａｌ  Ａｒｅａ  Ｎｅｔｗｏｒｋ）モジュールとＢｌｕｅｔｏｏｔｈ（登録商標）モジュールとが一体に構成された無線通信機を含んでいてもよい。複数の情報端末表示装置２の各々は、互いに近距離無線通信可能な所定の範囲内に位置する場合に、例えば、Ｂｌｕｅｔｏｏｔｈ（登録商標）方式によるペアリング機能で互いを認識し、近距離無線通信を開始する。
【００３１】
複数の情報端末表示装置２が互いに近距離無線通信を開始した後、画像選択指示が複数の情報端末表示装置２のうちの任意の情報端末表示装置のタッチパネルに入力される。画像選択指示は、ユーザーが任意の情報端末表示装置に記憶されている画像データを画像データＤとして選択する指示である。画像選択指示で選択される画像データを予め記憶している情報端末表示装置は、「第１情報端末表示装置１０」に相当する。複数の情報端末表示装置２のうち第１情報端末表示装置１０以外の情報端末表示装置は、「第２情報端末表示装置１００」に相当する。
【００３２】
すなわち、第２情報端末表示装置１００の構成は、第１情報端末表示装置１０が画像データＤを予め記憶している点を除き、第１情報端末表示装置１０の構成と同様である。具体的には、第２情報端末表示装置１００は、第２制御部１１０、第２記憶部１２０、第２タッチパネル１３０、第２ＧＰＳセンサー１４０、第２動き検知センサー１５０、及び第２通信部１６０を備える。第２記憶部１２０には、第２表示性能情報Ｋと、第２ユーザー情報Ｕ２とが予め記憶されている。第２タッチパネル１３０は、第２ディスプレー１３１と、第２タッチセンサー１３２とを含む。第２制御部１１０、第２記憶部１２０、第２タッチパネル１３０、第２ＧＰＳセンサー１４０、第２動き検知センサー１５０、及び第２通信部１６０の各構成は、第１情報端末表示装置１０の第１制御部１１、第１記憶部１２、第１タッチパネル１３、第１ＧＰＳセンサー１４、第１動き検知センサー１５、及び第１通信部１６の各構成に対応する。以下、説明が煩雑になることを避けるため、第１情報端末表示装置１０の構成及び動作と、第２情報端末表示装置１００の構成及び動作との異なる点を除き、第２情報端末表示装置１００の構成及び動作に関する説明を省略することがある。
【００３３】
画像選択指示の入力後、選択された画像データＤに対する統合表示指示が、第１情報端末表示装置１０の第１タッチパネル１３に入力される。統合表示指示は、画像データＤの示す画像Ｇを統合ディスプレー機能で複数の情報端末表示装置２全体で表示する指示である。
【００３４】
統合表示指示の入力後、第１制御部１１は、複数の情報端末表示装置２全体で画像Ｇを表示するように複数の情報端末表示装置２を制御する。具体的には、第１制御部１１は、第２情報端末表示装置１００を制御するための制御信号を第１通信部１６を介して第２通信部１６０に送信する。第２制御部１１０は、第１通信部１６から送信される制御信号に従い、第２表示性能情報Ｋと第２ユーザー情報Ｕ２とを第１通信部１６へ送信するように第２通信部１６０を制御する。
【００３５】
図３（ａ）に示すように、第１制御部１１は、第１表示性能情報Ｊと第１ユーザー情報Ｕ１と第２表示性能情報Ｋと第２ユーザー情報Ｕ２とに基づいて表示性能情報テーブルＦを作成する。第１記憶部１２は、表示性能情報テーブルＦを記憶する。図３（ａ）は、例えば、複数の情報端末表示装置２が第１情報端末表示装置１０と６つの第２情報端末表示装置２０〜７０とから構成される実施形態の表示性能情報テーブルＦを示す。複数の情報端末表示装置２の各々の画面サイズ（画面サイズ情報）／画質（画面解像度情報）／色味（色空間情報）／ユーザー（ユーザー情報）は、例えば、
第１情報端末表示装置１０・・・５．５インチ／６００ｄｐｉ／ｓＲＧＢ／ユーザーＵＡ、
第２情報端末表示装置２０・・・５インチ／１２００ｄｐｉ／Ａｄｏｂｅ  ＲＧＢ／ユーザーＵＢ、
第２情報端末表示装置３０・・・５インチ／６００ｄｐｉ／Ａｄｏｂｅ  ＲＧＢ／ユーザーＵＣ、
第２情報端末表示装置４０・・・８．５インチ／６００ｄｐｉ／ｓＲＧＢ／ユーザーＵＤ、
第２情報端末表示装置５０・・・４．７インチ／１２００ｄｐｉ／ｓＲＧＢ／ユーザーＵＥ、
第２情報端末表示装置６０・・・４．７インチ／６００ｄｐｉ／ＤＣＩ−Ｐ３／ユーザーＵＦ、
第２情報端末表示装置７０・・・６インチ／１２００ｄｐｉ／ＤＣＩ−Ｐ３／ユーザーＵＧ、である。
【００３６】
第１制御部１１は、画像データＤと第１表示性能情報Ｊと第２表示性能情報Ｋとに基づいて、画像データＤを分割する。第１制御部１１は、分割した画像データＤを複数の情報端末表示装置２の各々に割り当て、複数の情報端末表示装置２の配置Ｌを決定する。具体的には、以下の通りである。図３（ｂ）は、画像データＤに対応する画像Ｇを示す。図３（ｃ）は、複数の情報端末表示装置２が配置Ｌの通りに配置された後に、第１制御部１１が複数の情報端末表示装置２全体に画像Ｇを表示させている状態を示す。
【００３７】
まず、第１制御部１１は、例えば、画像Ｇのうち、最も大きな特徴を有するモチーフ（例えば、樹木又は人物の顔）を示す画像領域を決定する。このようなモチーフを示す画像領域を決定するためのアルゴリズムには、例えば、特徴（例えば、色、模様、又は形状）の一様である画像領域毎に画像Ｇを分割する手法（例えば、分割・統合法）が用いられる。例えば、図３（ｂ）に示すように、画像Ｇは、例えば、互いに隣接して配置される画像領域Ｇ１と、画像領域Ｇ２と、画像領域Ｇ３とから構成される。画像データＤは、例えば、第１の複数の画素データと、第２の複数の画素データと、第３の複数の画素データとを含む。第１の複数の画素データは、画像領域Ｇ１を示す。第２の複数の画素データは、画像領域Ｇ２を示す。第３の複数の画素データは、画像領域Ｇ３を示す。各画素データは、色情報（例えば、ＲＧＢ値）を有する。画像領域Ｇ１は、例えば、濃色の樹木の画像を示す領域である。画像領域Ｇ２は、例えば、淡色の空の画像を示す領域である。画像領域Ｇ３は、例えば、淡色の草原の画像を示す領域である。画像領域Ｇ２と画像領域Ｇ３とは、画像領域Ｇ１よりも広く、画像領域Ｇ１の周辺領域を構成する。すなわち、画像領域Ｇ１は、淡色の周辺領域に囲まれる濃色の画像領域である。第１制御部１１は、例えば、各画素データの色情報の差異に基づいて、画像Ｇを画像領域Ｇ１と画像領域Ｇ２と画像領域Ｇ３とに分割する。さらに、第１制御部１１は、例えば、各画像領域の色情報と形状とに基づいて、最も大きな特徴を有するモチーフを示す画像領域として画像領域Ｇ１を選択する。
【００３８】
次に、第１制御部１１は、第１の複数の画素データと、第２の複数の画素データと、第３の複数の画素データと、表示性能情報テーブルＦとに基づいて、画像データＤを複数の部分画像データに分割する。部分画像データ（「分割した画像データＤ」に相当する。）は、部分画像を示す。複数の部分画像データの各々が示す画像は、例えば、図３（ｃ）に示すように、部分画像ＧＡ、部分画像ＧＢ、部分画像ＧＣ、部分画像ＧＤ、部分画像ＧＥ、部分画像ＧＦ、及び部分画像ＧＧである。部分画像ＧＡ〜ＧＧは、複数の情報端末表示装置２の個数と各画面サイズとに対応する。第１制御部１１は、画像データＤを複数の部分画像データに分割する際、例えば、部分画像ＧＡ〜ＧＧのうち特定の部分画像ＧＤが画像領域Ｇ１を含むように、各情報端末表示装置の画面サイズに基づいて画像データＤを分割する。特定の部分画像ＧＤの形状は、第２情報端末表示装置４０のディスプレーの画面サイズに対応する。第１制御部１１は、最も大きな特徴を有するモチーフを示す画像領域を、例えば、最も大きな画面サイズを有するディスプレーに割り当てる。図３（ａ）を参照して説明したように、第２情報端末表示装置４０のディスプレーの画面サイズは、複数の情報端末表示装置２の各ディスプレーの画面サイズの中で最も大きい。また、第１制御部１１は、最も大きな特徴を有するモチーフを示す画像領域を、例えば、最も大きな画面解像度を有するディスプレーに割り当ててもよい。
【００３９】
次に、第１制御部１１は、部分画像ＧＡ、部分画像ＧＢ、部分画像ＧＣ、部分画像ＧＥ、部分画像ＧＦ、及び部分画像ＧＧの各々を、第１表示性能情報Ｊと第２表示性能情報Ｋとに基づいて、第１情報端末表示装置１０、第２情報端末表示装置２０、第２情報端末表示装置３０、第２情報端末表示装置５０、第２情報端末表示装置６０、及び第２情報端末表示装置７０に割り当てる。割当ての際、第１制御部１１は、複数の情報端末表示装置２のうち隣り合う各情報端末表示装置間の表示性能の差異を、隣り合わない各情報端末表示装置間の表示性能の差異よりも小さくするように配置Ｌを決定することが好ましい。表示性能の差異は、例えば、色空間規格の差異、画面サイズの差異、又は画面解像度の差異である。図３（ａ）を参照して説明したように、例えば、隣り合う第１情報端末表示装置１０と第２情報端末表示装置４０との各ディスプレーは、同じ色空間規格を有する。一方、隣り合わない第２情報端末表示装置４０と第２情報端末表示装置６０との各ディスプレーは、異なる色空間規格を有する。また、例えば、隣り合う第１情報端末表示装置１０と第２情報端末表示装置４０との各ディスプレーは、同じ画面解像度を有する。また、例えば、隣り合う第２情報端末表示装置５０と第２情報端末表示装置６０との各ディスプレーは、同じ画面サイズを有する。また、第１制御部１１は、複数の情報端末表示装置２のうち、できる限り多くの情報端末表示装置のディスプレー全体を用いて、画像Ｇを最大限に表示するように配置Ｌを決定してもよい。第１制御部１１は、配置Ｌを決定すると、配置情報Ｒを第２情報端末表示装置２０〜第２情報端末表示装置７０の各通信部へ送信するように第１通信部１６を制御する。第１制御部１１は、第１配置画像Ｐを表示するように第１ディスプレー１３Ａを制御する。
【００４０】
第２通信部１６０が第１通信部１６から配置情報Ｒを受信すると、第２ディスプレー１３１は、第２配置画像Ｑを表示する。第２制御部１１０は、第２情報端末表示装置１００の端末位置情報と動き情報とを第１通信部１６に送信するように第２情報端末表示装置１００の各部を制御する。
【００４１】
第１制御部１１は、複数の情報端末表示装置２の各々の端末位置情報と動き情報と表示性能情報Ｊ、Ｋとに基づいて、配置Ｌの通りに複数の情報端末表示装置２が配置されたか否かを判定する。例えば、第１制御部１１は、端末位置情報と各動き情報と各画面サイズ情報Ｊ１、Ｋ１とに基づいて、複数の情報端末表示装置２の各筐体の位置関係と、各筐体の向きとを認識する。第１制御部１１は、配置Ｌの通りに複数の情報端末表示装置２が配置されたと判定した場合、各ディスプレー１３Ａ、１３１に部分画像ＧＡ〜ＧＧを表示させる。すなわち、第１制御部１１は、複数の情報端末表示装置２のディスプレー１３Ａ、１３１全体で画像Ｇを表示するように各ディスプレー１３Ａ、１３１を制御する。
【００４２】
以上、図１〜図３を参照して説明したように、本実施形態によれば、複数の情報端末表示装置２の各々は、ディスプレー１３Ａ、１３１を備える。各表示性能情報Ｊ、Ｋは、ディスプレー１３Ａ、１３１の各画面サイズ情報Ｊ１、Ｋ１を含む。第１制御部１１は、画像データＤと各表示性能情報Ｊ、Ｋとに基づいて画像データＤを分割する。第１制御部１１は、分割した画像データＤを複数の情報端末表示装置２の各々に割り当て、複数の情報端末表示装置２の配置Ｌを決定する。従って、顕著な特徴を有する画像領域を画面サイズの大きなディスプレーに割り当てつつ、複数の情報端末表示装置２全体の配置Ｌを決定できる。その結果、画像Ｇを表示する際の視認性を更に向上させることができる。
【００４３】
さらに、本実施形態によれば、第１制御部１１は、第１表示性能情報Ｊと第２表示性能情報Ｋとに基づいて複数の情報端末表示装置２の配置Ｌを決定するので、複数の情報端末表示装置２のうち隣り合う各情報端末表示装置間の表示性能の差異を、隣り合わない各情報端末表示装置間の表示性能の差異よりも小さくできる。従って、隣り合う各部分画像が視覚的に断絶された印象を与える可能性を低減できる。その結果、分割された各部分画像を組み合わせて複数の情報端末表示装置２全体で画像Ｇを表示する際に、組み合わされた部分画像を一連一体的に視認性良く表示できる。
【００４４】
さらに、本実施形態によれば、各表示性能情報Ｊ、Ｋは、ディスプレー１３Ａ、１３１の各色空間情報Ｊ２、Ｋ２を更に含むことが好ましい。複数の情報端末表示装置２全体で画像Ｇを表示する際に、隣り合って表示される各部分画像間の色空間規格上の差異を低減できる。
【００４５】
さらに、本実施形態によれば、各表示性能情報Ｊ、Ｋは、ディスプレー１３Ａ、１３１の各画面解像度情報Ｊ３、Ｋ３を更に含むことが好ましい。複数の情報端末表示装置２全体で画像Ｇを表示する際に、隣り合って表示される各部分画像間の画面解像度上の差異を低減できる。
【００４６】
さらに、図１（ａ）に示すように、第１配置画像Ｐの表示形式は、全体配置画像Ｔの表示形式と異なることが好ましい。全体配置画像Ｔの表示形式は、例えば、全体配置画像Ｔをモノトーン色で表示する形式である。第１配置画像Ｐの表示形式は、例えば、全体配置画像Ｔのうち第１配置画像Ｐのみをカラー色（例えば、赤色）で表示する形式である。ユーザーは、第１配置画像Ｐ又は第２配置画像Ｑを目視することによって、複数の情報端末表示装置２全体の配置Ｌのうち、第１情報端末表示装置１０の配置Ｌ１又は第２情報端末表示装置１００の配置Ｌ２を容易に識別できる。従って、複数の情報端末表示装置２を配置する際に、各情報端末表示装置を誤った位置に配置することを抑制できる。
【００４７】
続いて、図２及び図３を参照しつつ、更に図４を参照して、ユーザー情報画像について説明する。図４は、表示システム１を示す図である。複数の情報端末表示装置２の各ディスプレー１３Ａ、１３１が画像Ｇの表示を終了する際、第１制御部１１は、ユーザー情報画像を表示するようにディスプレー１３Ａ、１３１を制御する。ユーザー情報画像は、複数の情報端末表示装置２の各々に対応する第１ユーザー情報Ｕ１又は第２ユーザー情報Ｕ２を示す画像である。詳細には、第１制御部１１は、ユーザーによる表示終了指示が各タッチパネルのいずれかに入力されると、画像Ｇの表示を終了するようにディスプレー１３Ａ、１３１を制御する。表示終了指示は、画像Ｇの表示を終了するための指示である。第１制御部１１は、画像Ｇの表示を終了すると、各ユーザー情報Ｕ１、Ｕ２に基づいて、複数の情報端末表示装置２の各々に対応するユーザー情報画像Ｇ１０〜ユーザー情報画像Ｇ７０を各ディスプレー１３Ａ、１３１に表示させる。ユーザー情報画像Ｇ１０〜ユーザー情報画像Ｇ７０は、「ユーザーＵＡ」〜「ユーザーＵＧ」のようなユーザー名をそれぞれ示す画像である。第１制御部１１は、複数の情報端末表示装置２が互いに離間されると、統合ディスプレー機能の実行を終了する。複数の情報端末表示装置２の各ユーザーは、自身の情報端末表示装置に表示される自身のユーザー名を目視する。従って、外観形状の似通った複数の情報端末表示装置２が配置されている場合であっても、各情報端末表示装置の取り違えが発生することを抑制できる。なお、第１制御部１１は、複数の情報端末表示装置２のうち、少なくとも１つの情報端末表示装置が他の情報端末表示装置から一時的に離間した場合に、引き続き他の情報端末表示装置に画像Ｇを表示させておいてもよい。少なくとも１つの情報端末表示装置が離間前の配置Ｌ１又は配置Ｌ２の位置に再度配置された場合に、第１制御部１１は、少なくとも１つの情報端末表示装置に画像Ｇの部分画像を再度表示させることもできる。例えば、複数の情報端末表示装置２全体で画像Ｇを表示している間に、少なくとも１つの情報端末表示装置が外部からの着信を受けたり、ユーザーが少なくとも１つの情報端末表示装置を手元で目視することを所望する場合がある。このような場合においても、新たな設定を要することなく複数の情報端末表示装置２全体で画像Ｇを利便性良く表示できる。
【００４８】
続いて、図１〜図５を参照して、統合ディスプレー機能を用いた画像Ｇの表示処理について説明する。図５は、表示システム１が実行する表示処理を示すフローチャートである。ステップＳ１０１〜ステップＳ１２１が実行されることによって、表示システム１は、画像Ｇの表示処理を実行する。具体的には、以下の通りである。
【００４９】
ステップＳ１０１において、複数の情報端末表示装置２は、近距離無線通信で互いに接続する。処理は、ステップＳ１０３に進む。
【００５０】
次に、ステップＳ１０３において、表示システム１は、複数の情報端末表示装置２のうちいずれかの情報端末表示装置のタッチパネルに画像選択指示が入力されたか否かを判定する。画像選択指示が入力された場合（ステップＳ１０３でＹｅｓ）に、処理はステップＳ１０５に進む。一方、画像選択指示が入力されていない場合（ステップＳ１０３でＮｏ）に、画像選択指示がタッチパネルに入力されるまでステップＳ１０３の処理を繰り返す。
【００５１】
ステップＳ１０３でＹｅｓの場合に、ステップＳ１０５において、表示システム１は、画像選択指示と統合表示指示とに従い、第１情報端末表示装置１０を決定する。処理は、ステップＳ１０７に進む。
【００５２】
次に、ステップＳ１０７において、第１制御部１１は、表示性能情報を取得する。詳細には、第２通信部１６０は、第２表示性能情報Ｋと第２ユーザー情報Ｕ２とを第１通信部１６に送信する。第１制御部１１は、第１表示性能情報Ｊと第１ユーザー情報Ｕ１と第２表示性能情報Ｋと第２ユーザー情報Ｕ２とに基づいて表示性能情報テーブルＦを作成する。処理は、ステップＳ１０９に進む。
【００５３】
次に、ステップＳ１０９において、第１制御部１１は、画像データＤと、複数の情報端末表示装置２の各表示性能情報とに基づいて、複数の情報端末表示装置２の配置Ｌを決定する。処理は、ステップＳ１１１に進む。
【００５４】
次に、ステップＳ１１１において、第１通信部１６は、配置情報Ｒを第２通信部１６０に送信する。処理は、ステップＳ１１３に進む。
【００５５】
次に、ステップＳ１１３において、表示システム１は、各配置画像Ｐ、Ｑを表示する。詳細には、第１制御部１１は、第１ディスプレー１３Ａに第１配置画像Ｐを表示させる。第２制御部１１０は、送信された配置情報Ｒに従い、第２ディスプレー１３１に第２配置画像Ｑを表示させる。処理は、ステップＳ１１５に進む。
【００５６】
次に、ステップＳ１１５において、第１制御部１１は、複数の情報端末表示装置２が配置Ｌの通りに配置されたか否かを判定する。複数の情報端末表示装置２が配置Ｌの通りに配置された場合（ステップＳ１１５でＹｅｓ）に、処理はステップＳ１１７に進む。一方、複数の情報端末表示装置２が配置Ｌの通りに配置されていない場合（ステップＳ１１５でＮｏ）に、複数の情報端末表示装置２が配置Ｌの通りに配置されるまでステップＳ１１５の処理を繰り返す。
【００５７】
ステップＳ１１５でＹｅｓの場合に、ステップＳ１１７において、表示システム１は、選択された画像Ｇを複数の情報端末表示装置２全体で表示する。詳細には、第１制御部１１は、複数の情報端末表示装置２の各ディスプレーが部分画像を表示するように複数の情報端末表示装置２を制御する。処理は、ステップＳ１１９に進む。
【００５８】
次に、ステップＳ１１９において、第１制御部１１は、複数の情報端末表示装置２のうちいずれかの情報端末表示装置のタッチパネルに表示終了指示が入力されたか否かを判定する。表示終了指示が入力された場合（ステップＳ１１９でＹｅｓ）に、処理はステップＳ１２１に進む。一方、表示終了指示が入力されていない場合（ステップＳ１１９でＮｏ）に、表示終了指示がタッチパネルに入力されるまでステップＳ１１９の処理を繰り返す。
【００５９】
ステップＳ１１９でＹｅｓの場合に、ステップＳ１２１において、複数の情報端末表示装置２の各ディスプレーは、ユーザー情報画像を表示する。そして、処理は終了する。
【００６０】
なお、図６（ａ）〜（ｃ）に示すように、複数の情報端末表示装置２の各タッチセンサー１３Ｂ、１３２は、各ディスプレー１３Ａ、１３１への接触位置を検出することができる。図６（ａ）〜（ｃ）は、表示システム１を示す図である。図６（ａ）〜（ｃ）は、図５を参照して説明したステップＳ１１７の処理において画像Ｇが複数の情報端末表示装置２全体で表示されている状態を示す。各タッチセンサー１３Ｂ、１３２は、複数の情報端末表示装置２の各々が複数の情報端末表示装置２全体で画像Ｇを表示する際に、タッチセンサーに対応するディスプレーへの接触位置を検出する。例えば、図６（ａ）に示すように、各タッチセンサー１３Ｂ、１３２は、ユーザーＨ１によるジェスチャーＣＡ、又はユーザーＨ２によるジェスチャーＣＢを検出する。
【００６１】
図６（ａ）に示すジェスチャーＣＡは、各情報端末表示装置を跨ぐジェスチャー（例えば、操作方向Ｅ１に沿ったスワイプ操作）を示す。詳細には、異なる２つのタッチセンサー１３Ｂ、１３２のうちの一方のタッチセンサー１３２は、第１接触位置Ｃ１を検出する。異なる２つのタッチセンサー１３Ｂ、１３２のうちの他方のタッチセンサー１３Ｂは、一方のタッチセンサー１３２による第１接触位置Ｃ１の検出時点から所定の時間内に第２接触位置Ｃ２を検出する。所定の時間は、例えば、０．５秒である。第１制御部１１は、第１接触位置Ｃ１と第２接触位置Ｃ２とに基づいて、一方のタッチセンサー１３２に対応するディスプレー１３１と他方のタッチセンサー１３Ｂに対応するディスプレー１３Ａとを制御する。一方のタッチセンサー１３２に対応するディスプレー１３１と他方のタッチセンサー１３Ｂに対応するディスプレー１３Ａとを制御する処理は、図６（ｂ）に示すように、複数の情報端末表示装置２全体で表示される画像Ｇを変更する処理である。例えば、ユーザーは、画像Ｇを操作方向Ｅ１に沿ってスワイプする。画像Ｇは、操作方向Ｅ１にスライドしたり、操作方向Ｅ１に沿って左右に往復するようにスライドする。画像Ｇが操作方向Ｅ１にスライドした場合、部分画像ＧＨと部分画像ＧＪとは、例えば、部分画像ＧＫと部分画像ＧＬとにそれぞれ変更される。図６（ａ）に示す部分画像ＧＸは、第１ディスプレー１３Ａと第２ディスプレー１３１との間に位置し、ディスプレーに表示されない。画像Ｇを変更する処理前における部分画像ＧＸは、図６（ｂ）に示すように、画像Ｇを変更する処理後に部分画像ＧＫに含まれるように第１ディスプレー１３Ａに表示される。従って、画像Ｇのうち各ディスプレー間で途切れる部分画像を目視できる。その結果、画像Ｇの細部を目視するための利便性を向上させることができる。
【００６２】
また、図６（ａ）に示すジェスチャーＣＢは、各情報端末表示装置を跨がないジェスチャーを示す。ジェスチャーＣＢは、例えば、第１情報端末表示装置１０に対する、操作方向Ｅ２と操作方向Ｅ３とに沿ったピンチアウト操作である。具体的には、各タッチセンサー１３Ｂ、１３２のうちの１つのタッチセンサー１３Ｂのみが接触位置Ｃ３、Ｃ４、Ｃ５、Ｃ６を検出する。第１制御部１１は、接触位置Ｃ３、Ｃ４、Ｃ５、Ｃ６に基づいて、１つのタッチセンサー１３Ｂに対応するディスプレー１３Ａを制御する。１つのタッチセンサー１３Ｂに対応するディスプレー１３Ａを制御する処理は、図６（ｃ）に示すように、１つのタッチセンサー１３Ｂに対応するディスプレー１３Ａに割り当てられた部分画像ＧＭのみを変更する処理である。例えば、接触位置Ｃ３と接触位置Ｃ４とから、それぞれ接触位置Ｃ５と接触位置Ｃ６とへのピンチアウト操作に従い、第１ディスプレー１３Ａは、図６（ａ）に示す部分画像ＧＨを図６（ｃ）に示す部分画像ＧＭのように拡大して表示する。このとき、第２ディスプレー１３１に表示される部分画像ＧＪは変更されない。従って、画像Ｇを表示する際に、所望の部分画像のみを目視し易くするように表示できる。その結果、画像Ｇの細部を目視するための利便性を向上させることができる。
【００６３】
また、図７（ａ）及び（ｂ）に示すように、画像Ｇは、例えば、複数のアイコン画像Ｇ４、Ｇ５、Ｇ６を有するホーム画面画像を含んでもよい。図７（ａ）及び（ｂ）は、表示システム１を示す図である。図７（ａ）は、図５を参照して説明したステップＳ１１７の処理において画像Ｇが複数の情報端末表示装置２全体で表示されている状態を示す。第１ディスプレー１３Ａは、部分画像ＧＮを表示する。第２ディスプレー１３１は、部分画像ＧＰを表示する。各アイコン画像Ｇ４〜Ｇ６は、アイコンを示す画像である。アイコン画像Ｇ４〜Ｇ６には、例えば、各種のアプリケーションプログラムを起動するための起動指示が入力される。画像Ｇにおけるアイコン画像Ｇ４〜Ｇ６の配置に応じて、部分画像ＧＮには、アイコン画像Ｇ４、Ｇ５が割り当てられる。同様に、部分画像ＧＰには、アイコン画像Ｇ６が割り当てられる。
【００６４】
第１制御部１１は、ホーム画面画像が複数の情報端末表示装置２全体で表示される場合に、端末位置情報に基づいて複数の情報端末表示装置２が互いに離間しているか否かを判定する。図７（ｂ）に示すように、第１制御部１１は、複数の情報端末表示装置２のうち、１つの情報端末表示装置２０が他の情報端末表示装置１０から離間したと判定した場合、１つの情報端末表示装置２０に部分画像ＧＰを引き続き表示させる。従って、画像Ｇが複数の情報端末表示装置２全体で表示されている際に、特定の情報端末表示装置に表示された部分画像を利便性良く手元で目視できる。また、第１制御部１１は、離間した１つのディスプレー１３１に割り当てられたアイコン画像Ｇ６に対応するアプリケーションプログラムを実行するように、１つの情報端末表示装置２０を制御してもよい。ユーザーは、画像Ｇが複数の情報端末表示装置２全体で表示されている際に、所望のアイコン画像に対応するアプリケーションプログラムのみを手元で利便性良く起動できる。
【００６５】
以上、図面（図１〜図７）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の色、形状、寸法等は一例であって、特に限定されるものではなく、本発明の構成から実質的に逸脱しない範囲で種々の変更が可能である。
【００６６】
（１）図１〜図５を参照して説明した画像選択指示は、１つの画像Ｇを示す画像データＤを選択する指示であったが、本発明はこれに限られない。選択する画像データは、複数の情報端末表示装置２で共有可能なデータでありさえすればよい。例えば、画像選択指示は、異なる複数の画像を示す画像データを選択する指示であってもよい。第１制御部１１は、例えば、複数の画像を一定時間の間隔でディスプレー全体に順次表示させる。さらに、画像選択指示によって複数の画像を示す画像データが選択された場合に、図６（ａ）及び（ｂ）を参照して説明したジェスチャーＣＡが、例えばフリック操作である実施形態もあり得る。第１制御部１１は、例えば、各タッチセンサー１３Ｂ、１３２がフリック操作による接触位置を検出した場合、検出結果に従い、複数の画像をディスプレー全体に順次表示させるように各画像をスライドさせる。従って、複数の画像を表示する際に、その都度画像選択指示を入力する手間を軽減できる。従って、複数の情報端末表示装置２全体で複数の画像を利便性良く表示できる。
【００６７】
（２）図２を参照して説明した複数の情報端末表示装置２は、第１ＧＰＳセンサー１４と第２ＧＰＳセンサー１４０とによって各端末位置情報を取得していたが、本発明はこれに限られない。複数の情報端末表示装置２の各々の位置情報取得部は、例えば、複数の情報端末表示装置２間における各種の通信（例えば、Ｗｉ−Ｆｉ（Ｗｉｒｅｌｅｓｓ  Ｆｉｄｅｌｉｔｙ）（登録商標）、Ｂｌｕｅｔｏｏｔｈ（登録商標））を介して互いの端末位置を認識したり、端末位置情報を取得してもよい。
【産業上の利用可能性】
【００６８】
本発明は、表示システム及び情報端末表示装置の分野に利用可能である。
【符号の説明】
【００６９】
１        表示システム
１０      第１情報端末表示装置
１００、２０、３０、４０、５０、６０、７０    第２情報端末表示装置
２        複数の情報端末表示装置
Ｄ        画像データ
Ｇ        画像
Ｊ        第１表示性能情報
Ｋ、Ｋ１、Ｋ２    第２表示性能情報
Ｌ、Ｌ１、Ｌ２、Ｌ２１、Ｌ２２    配置
Ｐ        第１配置画像
Ｑ、Ｑ１、Ｑ２    第２配置画像
Ｒ、Ｒ１、Ｒ２    配置情報
【図１】
2019101132.tif 000003
【図２】
2019101132.tif 000004
【図３】
2019101132.tif 000005
【図４】
2019101132.tif 000006
【図５】
2019101132.tif 000007
【図６】
2019101132.tif 000008
【図７】
2019101132.tif 000009